(57)【要約】【課題】介護者の手の保護を図った上で、被介護者に安心感を抱かせることができる介護用手袋を提供する。【解決手段】  被介護者を介護する介護者によって着用される介護用手袋１は、着用者の手の甲を覆う甲部１０と、甲部１０に接合され、着用者の五指の甲側を覆う甲側指部１１乃至１５と、着用者の五指の掌側を覆い、甲側指部１１乃至１５のそれぞれと縫合される掌側指部２１乃至２５と、着用者の掌を露出させるための開口部２６とを備えている。【選択図】図２
2020172710.tif 000002
【特許請求の範囲】
【請求項１】
被介護者を介護する介護者によって着用される介護用手袋において、
着用者の手の甲を覆う甲部と、
前記甲部に接合され、着用者の五指を覆う指部と、
着用者の掌を露出させるための開口部と
を備える、介護用手袋。
【請求項２】
前記指部は、前記甲部に接合され、着用者の五指の甲側を覆う甲側指部と、着用者の五指の掌側を覆い、前記甲側指部と接合される掌側指部とを有している、
請求項２に記載の介護用手袋。
【請求項３】
前記甲側指部及び前記掌側指部は、着用者の五指の指先に到達しない長さを有している、
請求項１又は２に記載の介護用手袋。
【請求項４】
前記甲側指部の先端部には、着用者の五指の指先側に突出する凸部が設けられている、
請求項３に記載の介護用手袋。
【請求項５】
前記掌側指部の先端部には、着用者の五指の付け根側に凹む凹部が設けられている、
請求項３又は４に記載の介護用手袋。
【発明の詳細な説明】
【技術分野】
【０００１】
本発明は、介護者が被介護者を介護するために用いられる介護用手袋に関する。
【背景技術】
【０００２】
特許文献１及び２には、手首から先の部分を覆う本体部と、前腕の少なくとも半分を覆う裾部とを有し、裾部にメッシュ部材から構成された通気部が設けられている介護用手袋が開示されている。この介護用手袋の場合、裾部が前腕の少なくとも半分までを覆うように形成されているため、ベッド等で寝た状態の被介護者の身体を起こしたり支えたりする際に、介護者が被介護者の背中の下や後ろに手を挿入しやくなり、介護作業の労力を低減することができる。また、裾部に通気部が設けられているため、手袋の通気性が高められ、手袋内に湿気や熱がたまりにくく、着用感が向上する。
【先行技術文献】
【特許文献】
【０００３】
【特許文献１】特開２０１５−３０９３８号公報
【特許文献１】特開２０１５−３０９３９号公報
【発明の概要】
【発明が解決しようとする課題】
【０００４】
ところで、被介護者は、介護作業時において、介護者の手の皮膚が自身に直接触れると安心感を抱きやすい傾向がある。しかしながら、上記の介護用手袋の場合、本体部によって手首から先の部分が覆われているため、介護者の手の皮膚が被介護者に直接触れることがなく、被介護者の安心感が得られないおそれがある。
【０００５】
本発明は、かかる事情に鑑みてなされたものであり、上述した課題を解決することができる介護用手袋を提供することを目的とする。
【課題を解決するための手段】
【０００６】
上記課題を解決するため、本発明の一の態様の介護用手袋は、被介護者を介護する介護者によって着用される介護用手袋において、着用者の手の甲を覆う甲部と、前記甲部に接合され、着用者の五指を覆う指部と、着用者の掌を露出させるための開口部とを備える。
【０００７】
上記態様において、前記指部は、前記甲部に接合され、着用者の五指の甲側を覆う甲側指部と、着用者の五指の掌側を覆い、前記甲側指部と接合される掌側指部とを有していてもよい。
【０００８】
また、上記態様において、前記甲側指部及び前記掌側指部は、着用者の五指の指先に到達しない長さを有していてもよい。
【０００９】
また、上記態様において、前記甲側指部の先端部には、着用者の五指の指先側に突出する凸部が設けられていてもよい。
【００１０】
さらに、上記態様において、前記掌側指部の先端部には、着用者の五指の付け根側に凹む凹部が設けられていてもよい。
【発明の効果】
【００１１】
本発明によれば、介護者による介護作業時において被介護者に安心感を抱かせることが可能になる。
【図面の簡単な説明】
【００１２】
【図１】介護者によって装着された状態における実施の形態の介護用手袋を甲側からみたときの平面図。
【図２】介護者によって装着された状態における実施の形態の介護用手袋を掌側からみたときの平面図。
【図３】実施の形態の介護用手袋を甲側からみたときの平面図。
【図４】実施の形態の介護用手袋の甲側部分の概略構成図。
【図５】実施の形態の介護用手袋を掌側からみたときの平面図。
【図６】実施の形態の介護用手袋の掌側人差し指部の概略構成図。
【発明を実施するための形態】
【００１３】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１４】
本実施の形態の介護用手袋は、高齢者又は精神障害者などの被介護者を介護する際に介護者によって着用されるものである。なお、以下では右手用の介護用手袋を例示するが、左手用の介護用手袋も対称な形状で同様の構成となる。
【００１５】
［介護用手袋の構成］
図１は、介護者によって装着された状態における実施の形態の介護用手袋を甲側からみたときの平面図である。また、図２は、同じく掌側からみたときの平面図である。図１及び図２に示すように、介護用手袋１は、介護者の手の甲を覆う甲部１０と、介護者の各手指の甲側を覆う甲側指部１１乃至１５と、同じく各手指の掌側を覆う掌側指部２１乃至２５と、手首部３０とを備えている。手首部３０は、面ファスナーで着脱するベルト３１を備えている。なお、以下では、甲部１０及び甲側指部１１乃至１５を甲側部分と表現することがある。
【００１６】
介護用手袋１は、掌側において、介護者の掌に相当する領域に開口部２６を備えている。図２に示すように、介護者が介護用手袋１を着用した場合、開口部２６から掌が露出することになる。
【００１７】
［甲側部分の構成］
図３は、介護者によって着用されていない状態における介護用手袋１を甲側からみたときの平面図である。また、図４は、甲側部分の概略構成図である。図３及び図４に示すとおり、甲側指部１１乃至１５は甲部１０と一体的に形成されている。但し、一体的に形成されていなくてもよく、別体の甲側指部１１乃至１５及び甲部１０が縫合などによって接合されていてもよい。これらの甲部１０及び甲側指部１１乃至１５は、伸縮性に優れたポリウレタン生地などで構成され、１ｍｍ乃至３ｍｍ程度の厚みを有している。
【００１８】
被介護者は、介護作業を不快に感じたときなどに、介護者の手の甲を引っ掻くなどの行為に及ぶ場合がある。介護用手袋１の場合、上記のように甲側部分が十分な厚みを有しているので、そのようなときでも介護者の手の甲を確実に保護することができる。また、このように十分な厚みがあったとしても、甲側部分は伸縮性に優れた材質で構成されているため、各手指を容易に折り曲げることが可能になる。
【００１９】
甲側指部１１乃至１５はそれぞれ、介護者の親指の甲側を覆う甲側親指部１１、人差し指の甲側を覆う甲側人差し指部１２、中指の甲側を覆う甲側中指部１３、薬指の甲側を覆う甲側薬指部１４、及び小指の甲側を覆う甲側小指部１５に相当する。
【００２０】
甲側指部１１乃至１５は、着用者の各手指の第１関節より若干指先側の位置までの長さを有している。したがって、介護者によって着用された場合、介護者の各手指の当該位置から指先までは甲側指部１１乃至１５に覆われることなく露出することになる。
【００２１】
なお、甲側指部１１乃至１５の長さはこれに限定されるわけではなく、例えば、甲側親指部１１を除く各甲側指部１２乃至１５については、各手指の第２関節と第１関節との中間位置まで又は第２関節付近までの長さを有するなど、種々の態様が採用され得る。ここで、介護者の手の甲側部分を保護するという観点からはより長い方が好ましい。そのため、甲側指部１１乃至１５が、介護者の各手指の指先に到達する長さを有していても構わない。但し、甲側指部１１乃至１５によって覆われている領域が大きいと、各手指の動きが妨げられることによって介護の際の作業性が低下する場合があるため、各手指が指先まで覆われていない方が好ましい。したがって、甲側指部１１乃至１５は、介護者の各手指の指先に到達しない長さであることが好ましい。
【００２２】
甲側指部１１乃至１５の先端部には、着用者の各手指の指先側に突出する凸部１１１乃至１５１がそれぞれ設けられている。後述するように、これらの凸部１１１乃至１５１を用いることによって、介護用手袋１を容易に脱着することが可能になる。
【００２３】
［掌側部分の構成］
図５は、介護者によって着用されていない状態における介護用手袋１を掌側からみたときの平面図である。図５に示すように、掌側指部２１乃至２５は掌側において相互に接続されていない。但し、図１及び図３に示すように、掌側指部２１乃至２５は甲側において相互に接続されている。これらの掌側指部２１乃至２５は、ポリエステル生地などで構成され、０．１ｍｍ乃至１ｍｍ程度の厚みを有している。
【００２４】
掌側指部２１乃至２５はそれぞれ、介護者の親指の掌側を覆う掌側親指部２１、人差し指の掌側を覆う掌側人差し指部２２、中指の掌側を覆う掌側中指部２３、薬指の掌側を覆う掌側薬指部２４、及び小指の掌側を覆う掌側小指部１５に相当する。掌側親指部２１及び甲側親指部１１の側端縁同士は縫合されている。同様にして、掌側人差し指部２２及び甲側人差し指部１２、掌側中指部２３及び甲側中指部１３、掌側薬指部２４及び甲側薬指部１４、並びに掌側小指部２５及び甲側小指部１５は、それぞれの側端縁同士が縫合されている。このように、各手指の掌側指部２１乃至２５と甲側指部１１乃至１５が接合されることによって、５つの指袋部分が得られる。
【００２５】
掌側指部２１乃至２５は、甲側指部１１乃至１５と同様に、着用者の各手指の第１関節より若干指先側の位置までの長さを有している。したがって、介護者によって着用された場合、介護者の各手指の当該位置から指先までは掌側指部２１乃至２５に覆われることなく露出することになる。なお、掌側指部２１乃至２５及び甲側指部１１乃至１５の各側端縁の長さは同一となっている。そのため、それぞれの側端縁の全体が縫い合わせられることになるため、解れなどの不具合の発生を抑制することができる。
【００２６】
甲側指部１１乃至１５の場合と同様に、掌側指部２１乃至２５の長さも上記に限定されるわけではない。例えば、掌側親指部２１を除く各掌側指部２２乃至２５については、各手指の第２関節と第１関節との中間位置まで又は第２関節付近までの長さを有するなど、種々の態様が採用され得る。掌側指部２１乃至２５が、介護者の各手指の指先に到達する長さを有していても構わない。但し、各手指においても、介護者の皮膚が被介護者に直接触れる領域があった方が良いため、掌側指部２１乃至２５の長さは介護者の各手指の指先に到達しない方が好ましく、当該領域を大きくするという観点からはより短い方が好ましい。
【００２７】
掌側指部２１乃至２５の先端部には、着用者の各手指の付け根側に凹む凹部２１１乃至２５１がそれぞれ設けられている。このような凹部２１１乃至２５１が設けられることによって、各手指の指先の露出部分を確保できるとともに、指の折り曲げが容易になるという効果が得られる。
【００２８】
図６は、掌側人差し指部２２の概略構成図である。図６に示すように、掌側人差し指部２２は、全体の外形形状が平面視で略扇台形状をなしており、その先端部には上記の凹部２２１が設けられ、その後端部における２つの角部のうちの１つには矩形状の凸部２２２が設けられている。凸部２２２は、隣り合う掌側中指部２３の後端部の角部と縫い合わせられる際の縫い代に相当する。なお、掌側人差し指部２２以外の掌側指部２１，２３乃至２５も同様の構成であるので、説明を省略する。
【００２９】
［介護用手袋１の使用方法］
上述したように構成された介護用手袋１を使用する場合、介護者はまず、手首部３０のベルト３１が固定されていない状態で、甲側指部１１乃至１５及び掌側指部２１乃至２５のそれぞれから構成される５つの指袋部分に、各手指をそれぞれ挿入する。これにより、図１及び図２に示すように、介護者の親指の第２関節付近から第１関節より若干指先側の位置まで、人差し指から小指までの第３関節付近から第１関節より若干指先側の位置までが、介護用手袋１の各指袋部分によって覆われる。その一方で、介護者の各手指の指先部分は各指袋部分に覆われずに露出し、また、介護者の掌は開口部２６から露出した状態となる。
【００３０】
このようにして各手指が各指袋部分に挿入された後、介護者はベルト３１を固定し、介護用手袋１の装着を完了する。その後、介護者は、介護用手袋１を装着した状態で、被介護者の身体を支える等の介護作業を行う。
【００３１】
上記のとおり、介護者の各手指の指先と掌が露出した状態となっているため、被介護者を介護する際、介護者の皮膚が被介護者に直接触れることになる。そのため、被介護者は安心感を抱いた状態で介護を受けることができる。
【００３２】
他方、介護者の手の甲側部分は指先以外の領域が介護用手袋１によって覆われている。そのため、例えば介護作業時に被介護者が介護者の手を引っ掻くなどの事態が生じた場合でも、介護者の手の甲を保護することができる。
【００３３】
介護作業が終了すると、介護者は介護用手袋１を脱着する。このとき、介護者は、ベルト３１の固定状態を解除した後、一方の手で、他方の手に装着されている介護用手袋１の甲側指部１１乃至１５の先端部に設けられている凸部１１１乃至１５１の少なくとも一つを把持し、指先側に引っ張る。凸部１１１乃至１５１は指先側に突出しているため、介護者は容易に把持することができ、上記の脱着動作をスムースに行うことが可能になる。
【産業上の利用可能性】
【００３４】
本発明の介護用手袋は、高齢者や精神障害者などの被介護者を介護するときに介護者に着用される介護用手袋として有用である。
【符号の説明】
【００３５】
１  介護用手袋
１０  甲部
１１〜１５  甲側指部
１１１〜１５１  凸部
２１〜２５  掌側指部
２６  開口部
２１１〜２５１  凹部
２２２  凸部
３０  手首部
３１  ベルト
【図１】
2020172710.tif 000003
【図２】
2020172710.tif 000004
【図３】
2020172710.tif 000005
【図４】
2020172710.tif 000006
【図５】
2020172710.tif 000007
【図６】
2020172710.tif 000008